(57)【要約】【課題】筐体の小型化並びに薄型化及びモータの高速回転化を図った光ディスク装置であっても、放熱ファンを使用することなく、放熱対象物に対して効率よく放熱する放熱機構を提供する。【解決手段】光ディスク装置１内における放熱対象物６に熱接続して放熱対象物６の熱を冷媒により吸収する吸熱部７と、吸熱部７で前記冷媒により吸収した熱を放熱する放熱部１１と、吸熱部７と放熱部１１との間で前記冷媒を循環させる冷媒循環手段１２と、を備える。【選択図】図１
2007287195.tif 000002
【特許請求の範囲】
【請求項１】
光ディスク装置内における放熱対象物に熱接続して当該放熱対象物の熱を冷媒により吸収する吸熱部と、
前記吸熱部で前記冷媒により吸収した熱を放熱する放熱部と、
前記吸熱部と前記放熱部との間で前記冷媒を循環させる冷媒循環手段と、
を備えることを特徴とする光ディスク装置の放熱機構。
【請求項２】
請求項１に記載の光ディスク装置の放熱機構において、
前記吸熱部と前記放熱部との間に、配管を介して前記冷媒を貯留する冷媒貯留部を接続し、この冷媒貯留部内に前記冷媒循環手段を配設したことを特徴とする光ディスク装置の放熱機構。
【請求項３】
請求項１又は２に記載の光ディスク装置の放熱機構において、
前記冷媒貯留部を前記光ディスク装置の筐体外面に配置し、前記冷媒貯留部を前記放熱部と兼用することを特徴とする光ディスク装置の放熱機構。
【請求項４】
請求項１乃至３のいずれか一項に記載の光ディスク装置の放熱機構において、
前記放熱部を前記光ディスク装置の筐体外部に配置したことを特徴とする光ディスク装置の放熱機構。
【請求項５】
請求項１に記載の光ディスク装置の放熱機構において、
前記放熱対象物は、前記光ディスク装置内に配置された各種モータを駆動させるドライバ及び諸制御を行うＬＳＩ等の発熱部品の少なくとも一方であることを特徴とする光ディスク装置の放熱機構。
【請求項６】
請求項１に記載の光ディスク装置の放熱機構において、
前記放熱対象物は、前記光ディスク装置内に配置された光ピックアップのレーザダイオードであることを特徴とする光ディスク装置の放熱機構。
【請求項７】
請求項１乃至６のいずれか一項に記載の光ディスク装置の放熱機構において、
前記冷媒循環手段の駆動源を、ディスクを回転させるスピンドルモータとしたことを特徴とする光ディスク装置の放熱機構。
【請求項８】
請求項１に記載の光ディスク装置の放熱機構において、
前記吸熱部は、前記光ディスク装置内に配置された光ピックアップの移動を案内する案内機構であり、この案内機構内に前記冷媒を循環させることを特徴とする光ディスク装置の放熱機構。
【請求項９】
請求項１又は８に記載の光ディスク装置の放熱機構において、
前記冷媒循環手段の駆動源を、前記光ピックアップを移動させるキャリッジモータとしたことを特徴とする光ディスク装置の放熱機構。
【請求項１０】
請求項１に記載の光ディスク装置の放熱機構において、
前記光ディスク装置が車載用の光ディスク装置である場合、前記吸熱部は、前記光ディスク装置の筐体の振動を吸収するダンパであって、当該ダンパ内に前記冷媒を循環させることを特徴とする光ディスク装置の放熱機構。
【発明の詳細な説明】
【技術分野】
【０００１】
本願は、光ディスク装置内において最も温度が上昇するドライバや電源部品等の発熱部品の熱を放熱させる光ディスク装置の放熱機構の技術分野に属する。
【背景技術】
【０００２】
従来、光ディスク装置内における発熱部品の熱を放熱する技術としては、例えば特許文献１及び２に開示された発明がある。
【０００３】
上記特許文献１に開示された発明は、光ピックアップ用基板の実装面に光部品を設け、この実装面とは反対側の裏面に冷却フィンを設け、この冷却フィンによりレーザ光源から発生する熱を放熱させるようにしている。
【０００４】
また、特許文献２に開示された発明は、光ディスク装置内のターンテーブルの上側に配設したクランパの上面に軸部を突設し、この軸部に羽根体を設け、上記ターンテーブルと一体に回転するクランパの回転で軸部を介し羽根体を回して風を発生させ、この風の流れでプリント基板の発熱部品からの発熱を筐体内で冷却して放熱するようにしている。
【特許文献１】特開平５−４７０２２号公報
【特許文献２】特開２００２−２３０９６２公報
【発明の開示】
【発明が解決しようとする課題】
【０００５】
ところで、最近の光ディスク装置では、筐体の小型化並びに薄型化及びモータの高速回転化が望まれている。このような傾向は、特に車載用の光ディスク装置の場合に顕著である。そのため、上記光ディスク装置では、狭いスペースに多くの構成部品を実装する必要があると共に、モータの回転数を上昇させる必要がある。したがって、モータの高速回転化に伴い、放熱する熱量が増加し、この熱を効率よく放熱するためには、現状では、技術的及びスペース的に困難な状況になりつつある。
【０００６】
すなわち、上記特許文献１のように、光ピックアップ用基板の実装面と反対側の裏面に冷却フィンを設けてレーザ光源から発生する熱を放熱させる発明では、上記のように限られた狭いスペースに冷却フィンを実装することが困難である。仮に、冷却フィンを実装したとしても、狭いスペースに小型の冷却フィンを実装することとなり、望ましい放熱効果が得られないという問題がある。
【０００７】
また、上記特許文献２のように、羽根体を回して風を発生させ、この風の流れで発熱部品からの発熱を筐体内で冷却して放熱する発明では、上記のように限られた狭いスペースに多くの構成部品を実装している場合、羽根体を回転させたとしても風の流れを形成するのが困難である。また、モータの高速回転化に伴って増加する熱量を放熱するには、さらに多くの羽根体を実装する必要があるものの、狭いスペース内に多くの羽根体を実装することができないという問題がある。このようにして上記特許文献２に開示された発明では、特許文献１に開示された発明と同様に、望ましい放熱効果が得られないという問題がある。
【０００８】
本願は、上記の事情を考慮してなされたもので、その課題の一例としては、筐体の小型化並びに薄型化及びモータの高速回転化を図った光ディスク装置であっても、放熱ファンを使用することなく、放熱対象物に対して効率よく放熱することのできる光ディスク装置の放熱機構を提供することにある。
【課題を解決するための手段】
【０００９】
上記課題を解決するために、請求項１に係る光ディスク装置の放熱機構は、光ディスク装置内における放熱対象物に熱接続して当該放熱対象物の熱を冷媒により吸収する吸熱部と、前記吸熱部で前記冷媒により吸収した熱を放熱する放熱部と、前記吸熱部と前記放熱部との間で前記冷媒を循環させる冷媒循環手段と、を備えることを特徴とする。
【発明を実施するための最良の形態】
【００１０】
以下、本願の実施形態を図面に基づいて説明する。
【００１１】
なお、以下の各実施形態は、ＣＤ−ＲＯＭ（Compact Disc−Read Only Memory）、ＣＤ−Ｒ（Compact Disc−Recordable）、ＤＶＤ−ＲＯＭ、ＤＶＤ−Ｒ等の光記録媒体に対して情報の記録及び再生を行う車載用の光ディスク記録再生装置（以下、光ディスク装置という。）に適用した実施形態である。
【００１２】
（第１実施形態）
図１は本願に係る光ディスク装置の放熱機構の第１実施形態を示す構成図である。
【００１３】
図１に示すように、光ディスク装置１は、筐体２内に図示しないターンテーブルにより光ディスク３の中心孔３ａを嵌合支持して回転させるスピンドルモータ４を備えている。このスピンドルモータ４は、光ディスク３から記録データの読出し時に回転駆動する。
【００１４】
また、放熱機構５は、光ディスク装置１の筐体２内における放熱対象物６に当接して熱接続され、この放熱対象物６の発生熱を冷媒としての冷却水により吸収する吸熱部７と、この吸熱部７に往路配管８ａ及び復路配管８ｂを介して接続され、冷却水を貯留する冷媒貯留部としての冷却水貯留部９と、この冷却水貯留部９に往路配管１０ａ及び復路配管１０ｂを介して接続され、吸熱部７で冷却水により吸収した熱を放熱する放熱部１１と、冷却水貯留部９内に配設され、スピンドルモータ４の回転駆動力により吸熱部７と放熱部１１との間で冷却水を循環させる冷媒循環手段としての循環ポンプ１２と、を備えて構成されている。
【００１５】
冷却水貯留部９は、吸熱部７と放熱部１１との間に配置されている。また、冷却水貯留部９には、吸熱部７に各一端が接続される往路配管８ａ及び復路配管８ｂの各他端が接続されるとともに、放熱部１１に各一端と接続される往路配管１０ａ及び復路配管１０ｂの各他端が接続され、冷却水の補充を行うとともに、冷却水の空気抜きを行う。
【００１６】
さらに、冷却水貯留部９内には、循環ポンプ１２が配設され、この循環ポンプ１２は上述したように光ディスク３を回転させるスピンドルモータ４を循環駆動源としている。
【００１７】
本実施形態の放熱対象物６は、光ディスク装置１内に配置されたスピンドルモータ４等の各種モータを駆動させるドライバ及び諸制御を行うＬＳＩ等の発熱部品の少なくとも一方である。
【００１８】
放熱部１１は、光ディスク装置１の例えば筐体２の背面で外気に晒される位置に配置され、外周面に多数の放熱フィン１１ａが一体に形成されている。
【００１９】
次に、本実施形態の作用を説明する。
【００２０】
まず、光ディスク３から記録データの読出し時にスピンドルモータ４を回転駆動させ光ディスク３を回転させると、循環ポンプ１２が駆動する。すると、冷却水貯留部９から往路配管８ａを経て吸熱部７に冷却水が供給される。
【００２１】
放熱対象物６であるスピンドルモータ４等の各種モータを駆動させるドライバ及び諸制御を行うＬＳＩ等の発熱部品の少なくとも一方が発熱している場合には、この放熱対象物６の発生熱を吸熱部７の冷却水で吸熱し、放熱対象物６を冷却する。
【００２２】
その後、放熱対象物６の発生熱を吸熱して加温された冷却水は、復路配管８ｂ、水貯留部９及び往路配管１０ａを経て放熱部１１に達する。この放熱部１１では、加温された冷却水の温度が放熱フィン１１ａに伝達されて放熱フィン１１ａの表面温度を上昇させる。そして、この温度上昇した放熱フィン１１ａは、外気と熱交換されて冷却されるため、放熱部１１内の冷却水が冷却される。
【００２３】
そして、冷却された冷却水は、放熱部１１から復路配管１０ｂ、冷却水貯留部９及び往路配管８ａを経て再び吸熱部７に冷却水が供給される。このような循環経路を経て放熱対象物６の発生熱を吸熱して放熱対象物６を冷却することができる。
【００２４】
このように本実施形態によれば、光ディスク装置１内における放熱対象物６に熱接続して放熱対象物６の発生熱を冷却水により吸収する吸熱部７と、この吸熱部７で冷却水により吸収した熱を放熱する放熱部１１と、吸熱部７と放熱部１１との間で冷却水を循環させる循環ポンプ１２とを備えたことにより、筐体２の小型化並びに薄型化及びモータの高速回転化を図った光ディスク装置１であっても、従来技術のような放熱ファンを使用することなく、放熱対象物６に対して効率よく放熱することができる。そして、放熱ファンを使用することがなくなるので、放熱機構としての静穏化を図ることもできる。
【００２５】
また、本実施形態によれば、吸熱部７と放熱部１１との間に、往路配管８ａ及び復路配管８ｂ、往路配管１０ａ及び復路配管１０ｂのそれぞれを介して冷却水を貯留する冷却水貯留部９を接続し、この冷却水貯留部９内に循環ポンプ１２を配設したことにより、循環ポンプ１２の取付けが容易になる。
【００２６】
さらに、本実施形態によれば、放熱部１１を光ディスク装置１の筐体２の外部に配置したことにより、筐体２内の温度に影響されることなく、放熱部１１内の冷却水を確実に冷却することができる。
【００２７】
そして、本実施形態によれば、循環ポンプ１２の駆動源を、光ディスク３を回転させるスピンドルモータ４としたことにより、既存のモータにより循環ポンプ１２を駆動することができるため、別途回転駆動源を設ける必要がなくなり、部品点数を増加させなくて済むことになる。
【００２８】
また、本実施形態によれば、放熱対象物６を光ディスク装置１内に配置された各種モータを駆動させるドライバ及び諸制御を行うＬＳＩ等の発熱部品の少なくとも一方であることにより、光ディスク装置１内で最も発熱する部品を冷却することができる。
【００２９】
（第２実施形態）
図２は本願に係る光ディスク装置の放熱機構の第２実施形態を示す構成図である。
【００３０】
なお、前記第１実施形態と同一または対応する部分には、同一の符号を用いて説明する。その他の実施形態も同様とする。また、本実施形態は、放熱対象物が光ピックアップであり、吸熱部がガイドシャフトである。
【００３１】
図２に示すように、光ディスク装置１には、図示しないターンテーブル上にクランプされているディスクの半径方向に光ピックアップ１５を移動自在に支持する案内機構としてのガイドシャフト１６ａ，１６ｂが配設されている。これらガイドシャフト１６ａ，１６ｂは、中空円筒状に形成され、内部に冷却水が循環するように構成されている。
【００３２】
また、ガイドシャフト１６ａ，１６ｂの近傍には、ガイドシャフト１６ａ，１６ｂと平行に送りねじ１７が配置され、この送りねじ１７に光ピックアップ１５の張出し部１５ａが噛み合っている。そして、送りねじ１７の一端には、キャリッジモータ１８の回転軸が連結されている。このキャリッジモータ１８を回転駆動させて送りねじ１７を回転させると、光ピックアップ１５がガイドシャフト１６ａ，１６ｂに沿って移動する。さらに、光ピックアップ１５の内部には、ビームを照射するレーザダイオード（図示せず）が組み込まれている。
【００３３】
一方、放熱機構５は冷却水貯留部９を有し、この冷却水貯留部９は、入口配管１９ａ，１９ｂを介してガイドシャフト１６ａ，１６ｂと接続され、これらガイドシャフト１６ａ，１６ｂは、出口配管２０ａ，２０ｂと、これら出口配管２０ａ，２０ｂが合流する往路配管２１とを介して放熱部１１に接続される。そして、放熱部１１は、復路配管２２を介して冷却水貯留部９と接続され、外周面に多数の放熱フィン１１ａが一体に形成されている。
【００３４】
また、冷却水貯留部９内には、冷却水を循環させる冷媒循環手段としての循環ポンプ１２が配設され、この循環ポンプ１２は上述した光ピックアップ１５を移動させるキャリッジモータ１８を循環駆動源としている。なお、循環ポンプ１２の循環駆動源は、前記第１実施形態のようにスピンドルモータ４としてもよい。なお、循環駆動源をスピンドルモータ４とした場合には、キャリッジモータ１８を循環駆動源とした場合より駆動時間が長くなる。
【００３５】
次に、本実施形態の作用を説明する。
【００３６】
放熱対象物である光ピックアップ１５のレーザダイオードは、通常８０〜９０℃の高温に達すると破損する、またはその寿命が短くなることがある。
【００３７】
そこで、本実施形態では、光ピックアップ１５を移動させるときだけ必要な分だけ回転駆動するキャリッジモータ１８を駆動する。すると、循環ポンプ１２が駆動して冷却水貯留部９に貯留した冷却水は、入口配管１９ａ，１９ｂを経てガイドシャフト１６ａ，１６ｂに流れる。これらガイドシャフト１６ａ，１６ｂは、光ピックアップ１５のレーザダイオードが高温に達していた場合、熱伝導により同様に温度が上昇しているため、この発生熱を冷却水で吸熱することで、上記レーザダイオードの周囲の温度を低下させてレーザダイオードを冷却する。
【００３８】
その後、レーザダイオードの周囲の温度を低下させて加温された冷却水は、出口配管２０ａ，２０ｂと、これら出口配管２０ａ，２０ｂが合流する往路配管２１とを経て放熱部１１に達する。この放熱部１１では、加温された冷却水の温度が放熱フィン１１ａに伝達されて放熱フィン１１ａの表面温度を上昇させる。そして、この温度上昇した放熱フィン１１ａは、外気と熱交換されて冷却されるため、放熱部１１内の冷却水が冷却される。
【００３９】
そして、冷却された冷却水は、放熱部１１から復路配管２２、冷却水貯留部９及び入口配管１９ａ，１９ｂを経て再びガイドシャフト１６ａ，１６ｂに冷却水が供給される。このような循環経路を経て放熱対象物であるレーザダイオードの周囲の温度を低下させてレーザダイオードを冷却することができる。
【００４０】
このように本実施形態によれば、吸熱部が光ディスク装置１内に配置された光ピックアップ１５の移動を案内するガイドシャフト１６ａ，１６ｂであり、これらガイドシャフト１６ａ，１６ｂ内に冷却水を循環させるようにしたので、吸熱部を別途配設することなく、ガイドシャフト１６ａ，１６ｂを冷却し、その結果、レーザダイオードの周囲の温度を低下させてレーザダイオードを冷却することができ、高温によるレーザダイオードの破損またはその寿命が短くなるのを未然に防止することができる。
【００４１】
また、本実施形態によれば、循環ポンプ１２の駆動源を、光ピックアップ１５を移動させるキャリッジモータ１８としたことにより、既存のモータにより循環ポンプ１２を駆動することができるため、別途回転駆動源を設ける必要がなくなり、部品点数を増加させなくて済むことになる。
【００４２】
（第３実施形態）
図３は本願に係る光ディスク装置の放熱機構の第３実施形態を示す構成図、図４は第３実施形態を示す外観図である。なお、図３と図４とでは、冷却水貯留部９の筐体２に対する大きさが相違するが、冷却水貯留部９は、図３では模式的に示し、実際は図４の大きさとする。
【００４３】
なお、本実施形態は、前記第２実施形態と同様に放熱対象物が光ピックアップに組み込まれたレーザダイオードであり、また吸熱部がガイドシャフト及び送りねじである。
【００４４】
図３に示すように、本実施形態では、前記第２実施形態と同様にガイドシャフト１６ａ，１６ｂは、中空円筒状に形成され、内部に冷却水が循環するように構成されている。また、ガイドシャフト１６ａ，１６ｂの近傍には、ガイドシャフト１６ａ，１６ｂと平行に送りねじ１７が配置され、この送りねじ１７に光ピックアップ１５の張出し部１５ａが噛み合っている。そして、本実施形態の送りねじ１７は、中空円筒状に形成され、内部に冷却水が循環するように構成されている。
【００４５】
なお、送りねじ１７には、図示しないキャリッジモータの回転軸がギヤ等の伝達手段を介して連結されている。
【００４６】
一方、放熱機構５を構成する冷却水貯留部９は、図４に示すように光ディスク装置１の筐体２の上面又は背面等の外面に密着するように配置され、外面が熱伝導率の高い材料から成形されて前記第１、第２実施形態の放熱部１１と同様の放熱機能を備えている。つまり、本実施形態の冷却水貯留部９は、放熱部と兼用している。
【００４７】
また、冷却水貯留部９は、図３に示すように入口配管１９ａ，１９ｂを介してガイドシャフト１６ａ，１６ｂと接続され、これらガイドシャフト１６ａ，１６ｂは、出口配管２０ａ，２０ｂと、これら出口配管２０ａ，２０ｂが合流する合流配管２３を介して冷却水貯留部９に接続される。
【００４８】
さらに、冷却水貯留部９は、入口配管１９ｃを介して送りねじ１７と接続され、この送りねじ１７は、出口配管２０ｃを介して合流配管２３と接続される。
【００４９】
なお、本実施形態の冷媒循環手段としての循環ポンプは、冷却水貯留部９や各配管に適宜取り付けられる。その駆動源としては、前記第１実施形態のようにスピンドルモータを用いてもよく、また前記第２実施形態のようにキャリッジモータを用いてもよい。
【００５０】
次に、本実施形態の作用を説明する。
【００５１】
本実施形態では、図示しない循環ポンプを駆動すると、冷却水貯留部９に貯留した冷却水は、入口配管１９ａ，１９ｂ及び１９ｃを経てガイドシャフト１６ａ，１６ｂ及び送りねじ１７に流入する。これらガイドシャフト１６ａ，１６ｂ及び送りねじ１７は、光ピックアップ１５のレーザダイオードが高温に達していた場合、熱伝導により同様に温度が上昇しているため、この発生熱を冷却水で吸熱することで、上記レーザダイオードの周囲の温度を低下させてレーザダイオードを冷却する。
【００５２】
その後、レーザダイオードの周囲の温度を低下させて加温された冷却水は、出口配管２０ａ，２０ｂ及び２０ｃと、これらの配管２０ａ，２０ｂ及び２０ｃが合流する合流配管２３とを経て冷却水貯留部９に戻る。この冷却水貯留部９は、加温された冷却水の温度が外面に伝達されてその表面温度を上昇させる。そして、この温度上昇した冷却水貯留部９は、外気に晒されていることから外気と熱交換されて冷却されるため、冷却水貯留部９内の冷却水が冷却される。
【００５３】
そして、冷却された冷却水は、冷却水貯留部９から入口配管１９ａ，１９ｂ及び１９ｃを経て再びガイドシャフト１６ａ，１６ｂ及び送りねじ１７に冷却水が供給される。このような循環経路を経て放熱対象物であるレーザダイオードの周囲の温度を低下させてレーザダイオードを冷却することができる。
【００５４】
このように本実施形態によれば、吸熱部が光ディスク装置１内に配置された光ピックアップ１５の移動を案内するガイドシャフト１６ａ，１６ｂ及び送りねじ１７であり、これらガイドシャフト１６ａ，１６ｂ内及び送りねじ１７内に冷却水を循環させるようにしたので、ガイドシャフト１６ａ，１６ｂ及び送りねじ１７を冷却し、その結果、光ピックアップ１５におけるレーザダイオードの周囲の温度を一段と低下させてレーザダイオードの冷却効果を一段と高め、高温によるレーザダイオードの破損またはその寿命が短くなるのを未然に防止することができる。
【００５５】
また、本実施形態によれば、冷媒貯留部９を光ディスク装置１の筐体２外面に配置し、冷媒貯留部９を放熱部と兼用することにより、別途放熱部を設ける必要がなくなり、部品点数を増加させなくて済み、放熱機構の簡素化を図ることができる。
【００５６】
（第４実施形態）
図５は本願に係る光ディスク装置の放熱機構の第４実施形態を示す構成図である。
【００５７】
なお、本実施形態は、特に車載用の光ディスク装置に適用した例であり、放熱対象物が光ディスク装置１の筐体２であり、また吸熱部が筐体２の振動を吸収するためのダンパである。
【００５８】
通常、車載用の光ディスク装置は、再生を良好に行うために筐体の振動を吸収するためのダンパが設けられ、このダンパにはオイルが密封状態で封入されている。
【００５９】
本実施形態では、図５に示すように冷却水貯留部９からダンパ２５，２５に冷却水を供給し、このダンパ２５，２５内に冷却水を循環させ、この冷却水により筐体２の発生熱を吸収するようにしている。
【００６０】
すなわち、放熱機構５を構成する冷却水貯留部９は、入口配管２６ａ，２６ｂ及び出口配管２７ａ，２７ｂを介してダンパ２５，２５に接続されている。そして、冷却水貯留部９は、往路配管２８及び復路配管２９介して放熱部１１と接続され、放熱部１１の外周面には、多数の放熱フィン１１ａが一体に形成されている。また、筐体２は、ダンパ２５，２５を介して保持部材３０に取り付けられている。
【００６１】
なお、冷却水貯留部９内には、図示しないが冷却水を循環させる冷媒循環手段としての循環ポンプが配設され、この循環ポンプの循環駆動源は、前記第１実施形態のようにスピンドルモータ４としている。
【００６２】
次に、本実施形態の作用を説明する。
【００６３】
まず、光ディスク３から記録データの読出し時にスピンドルモータ４を回転駆動させ光ディスク３を回転させると、循環ポンプが駆動する。すると、冷却水貯留部９から入口配管２６ａ，２６ｂを経て吸熱部であるダンパ２５，２５内にそれぞれ冷却水が供給される。
【００６４】
放熱対象物である筐体２が発熱している場合には、この筐体２の発生熱をダンパ２５，２５内に循環する冷却水で吸熱し、筐体２を冷却する。
【００６５】
その後、筐体２の発生熱を吸熱して加温された冷却水は、出口配管２７ａ，２７ｂ、水貯留部９及び往路配管２８を経て放熱部１１に達する。この放熱部１１では、加温された冷却水の温度が放熱フィン１１ａに伝達されて放熱フィン１１ａの表面温度を上昇させる。そして、この温度上昇した放熱フィン１１ａは、外気と熱交換されて冷却されるため、放熱部１１内の冷却水が冷却される。
【００６６】
そして、冷却された冷却水は、放熱部１１から復路配管２９、冷却水貯留部９及び入口配管２６ａ，２６ｂを経て再びダンパ２５，２５内に冷却水が供給される。このような循環経路を経て筐体２の発生熱を吸熱して筐体２を冷却することができる。
【００６７】
このように本実施形態によれば、光ディスク装置１が車載用の光ディスク装置である場合、吸熱部が光ディスク装置１の筐体２の振動を吸収するダンパ２５，２５であって、これらダンパ２５，２５内に冷却水を循環させることにより、吸熱部を別途配設することなく、筐体２の発生熱を、ダンパ２５，２５内を循環する冷却水により吸熱することができる。
【００６８】
なお、本願は上記各実施形態に限定されることなく種々の変更が可能である。例えば、上記各実施形態では、冷媒として冷却水を使用したが、水以外に流動性を有し、かつ比熱の高い特性を備えた液体でも適用することができる。また、第４実施形態では、上記の特性に加え、オイルのような振動吸収機能を有する液体が選定される。
【００６９】
また、上記各実施形態では、本願を車載用の光ディスク装置に適用した例について説明したが、これに限定されることなく、例えばノート型パソコン等の小型パソコンに搭載する小型化及び薄型化を図った光ディスク装置にも適用することができる。
【図面の簡単な説明】
【００７０】
【図１】本願に係る光ディスク装置の放熱機構の第１実施形態を示す構成図である。
【図２】本願に係る光ディスク装置の放熱機構の第２実施形態を示す構成図である。
【図３】本願に係る光ディスク装置の放熱機構の第３実施形態を示す構成図である。
【図４】第３実施形態を示す外観図である。
【図５】本願に係る光ディスク装置の放熱機構の第４実施形態を示す構成図である。
【符号の説明】
【００７１】
１：光ディスク装置
２：筐体
３：光ディスク
４：スピンドルモータ
５：放熱機構
６：放熱対象物
７：吸熱部
９：冷却水貯留部
１１：放熱部
１２：循環ポンプ
１５：光ピックアップ
１６ａ，１６ｂ：ガイドシャフト
１７：送りねじ
１８：キャリッジモータ
２５：ダンパ
【図１】
2007287195.tif 000003
【図２】
2007287195.tif 000004
【図３】
2007287195.tif 000005
【図４】
2007287195.tif 000006
【図５】
2007287195.tif 000007